(57)【要約】【課題】本体筺体背面が左右非対称な状態においても、本体背面側にスライド可能な蓋部材を設け、カード蓋部材をスライドさせることで本体筺体背面の左右非対称による段差を揃え、表示筺体をチルトさせた状態でも安定して平面部に置くことができる電子機器を提供する。【解決手段】本体筺体に設けられたＳＤカード蓋部材を利用して本体筺体に備えたＳＤカード蓋部材を引き出してそのスライド位置を保持し、ＳＤカード蓋の外側を左右非対称の凸形状と同一投影形状にすることで表示部筺体を開いた状態のすべての角度に置いて本隊筺体の凸形状の高さとＳＤカード蓋部材の高さがほぼ同等になるようにした。【選択図】図４
2014170151.tif 000002
【特許請求の範囲】
【請求項１】
第１の筺体（２）と、
第２の筺体（３）と、
第１の筺体（２）と第２の筺体（３）とを開閉可能に支持するヒンジユニット（２０１）と、
第１の筺体（２）に設けられた蓋部材（５０１）と、
第１の筺体（２）の第２筺体と対向する位置に左右非対称の凸形状（２ａ）を有する電子機器において、
第１の筺体（２）に備えた蓋部材（５０１）を引き出すことにより
第２の筺体（３）を開いた状態で第１の筺体（２）の凸形状（２ａ）の高さと蓋部材（５０１）の高さがほぼ同等になることを特徴とする電子機器。
【請求項２】
第１の筺体（２）に設けたヒンジユニット（２０１）は第２の筺体（３）を１８０度開いた際に前記台１の筺体の凸形状（２ａ）と同等の高さを有する凸部（２０１ａ）を備えており、１８０度の回動によって第１の筺体の足として機能する位置に移動することを特徴とする請求項１に記載の電子機器。
【発明の詳細な説明】
【技術分野】
【０００１】
本発明は、ヒンジ機構により第１の筐体と第２の筐体とを開閉可能に支持する電子機器に関し、特に第１の筺体背面部に凸があり左右非対称の形状を有する機器に関する。
【背景技術】
【０００２】
従来より、デジタルカメラやビデオカメラのような電子機器において、ヒンジ機構によって機器本体に回動可能に取り付けられた画像表示部を備えた、いわゆるバリアングル型、チルト型の画像表示部を有した電子機器が普及している。
【０００３】
例えば、２軸のバリアングル型の画像表示部を有した撮像装置では、様々なアングルで被写体を確認しながら撮影ができるように、画像表示部を横に開いた状態であらゆる角度に回転が可能である。１軸のチルト型の画像表示部を有した撮像装置でも１方向ではあるが画像表示部を様々な角度に回転することができ、同様に様々なアングルで被写体を確認しながら撮影を行うことができる。
【０００４】
特許文献１には、画像表示部を備えた表示部筐体と、撮像部を備えた本体筐体と、それぞれを連結するヒンジ部とを備え、ヒンジ部が表示筐体と本体筐体とを開閉および回転可能に連結した２軸ヒンジであるデジタルカメラが記載されている。 
【０００５】
また、デジタルカメラやビデオカメラなどの電子機器において、可搬性を向上させるために小型化、薄型化が望まれる傾向にある。
【０００６】
小型化、薄型化を進めるにあたってデジタルカメラなどにとって基本的に必要な構成要素のサイズが制約となる場合が多く、電池などを従来のものを使用したまま小型化・薄型化を進めようとすると、薄い電池を使用すれば正面からの投影面積が大きくなり、投影面積の小さな電池を使用すると電池は厚くなり本体の厚みが厚くなってしまう。容量を維持する場合、体積は同等となるため本体の縦横比に合わせて電池を選択する必要がある。
【０００７】
図７は鏡筒ユニットを中央にレイアウトした構成で、本体の横幅を減らし、本体を極力薄型化した構成を示したデジタルカメラ７の外観を示す斜視図である。チルト型のヒンジユニット７１０を本体筺体７０１上面に設置しており、デジタルカメラ背面側の表示筺体７０２が開閉可能になっている。図７（ａ）はヒンジユニット７１０を約６０度開いた状態を示す斜視図であり、デジタルカメラ背面側からの外観を示しており、図７（ｂ）はヒンジユニット７１０を約６０度開いた状態でデジタルカメラ前方下側からの外観を示す斜視図である。本体筺体７０１の底面と表示部筺体７０２の裏側を説明するため全体を傾けている。鏡筒７０５を中央にレイアウトし、正面から見た本体筺体７０１の投影面積を減らすようにするため前述した厚みの比較的厚い電池を採用している。
【０００８】
さらに本体筺体７０１を可能な限り薄くするために図７（ａ）に示すように本体筺体７０１の外観面が凸形状７０１ａになり、図７（ｂ）に示すように表示部筺体７０２は凸形状７０１ａを逃がした凹形状７０２ａになっている。本体筺体７０１の高さ寸法に対し電池の寸法も大きいため凸形状７０１ａと凹形状７０２ａは外観面の上下の広い範囲を占めている。図７（ａ）と図７（ｂ）に示すように本体筺体７０１の底面にはＳＤカード蓋７０４と電池蓋７０３、三脚座７０６が設けられている。
【０００９】
図８は本体筺体７０１に対する電池７０７の収納状態を示す底面側からの外観図、断面図である。
【００１０】
図８（ａ）では本体筺体７０１の電池蓋７０３を開けた状態で本隊筺体７０１の底面側から見た外観を示しており、電池蓋７０３を開けると電池７０７が露出し、ロック爪７０８により電池７０７が所定の位置に保持されている。電池７０７の厚みは本体筺体７０１の厚みの大部分を占めており、カバー部材７０１ｂ、７０１ｃと電池収納ボックス７０１ｄが強度上最低限必要な厚みでとり囲んでいる。
【００１１】
図８（ｂ）は図７（ａ）に示す断面７Ａ−７Ａで切った断面図であり、鏡筒ユニット７０５の左右の空間を示している。説明のためヒンジユニット７１０は閉じた状態であり、本体筺体７０１と表示部筺体７０２の両断面を示している。本体筺体７０１の図中右側が電池７０７を収納するため凸形状７０１ａになっているのに対し、表示部筺体７０２は凸形状７０１ａを逃げて凹み形状７０２ａになっている。
【００１２】
図８（ｂ）に示すようにＬＣＤやタッチパネルからのフレキシブルケーブル７０９は表示部筺体７０２の凹み部７０２ａを避けた位置にレイアウトされ、ケーブル７０９は表示部筺体の凹み部７０２ａとは逆側から引き出され、１８０度折り返して配線されている。本体筺体７０１の図中左側の空間７０１ｅは実装部品が配置されている空間であり、不図示の基板類、ＳＤカードスロット、ＵＳＢコネクタ、スピーカー、ボタン電池などの部品がレイアウトされている。
【００１３】
以上述べたように投影面積に合わせた電池を選択し、電池収納部を本体筺体から凸形状にし、表示部筺体を凸形状に合わせて凹み形状にすることで本体筺体と表示部筺体の薄型化を行い、小型化した上で可能な限り薄くすることができた。
【００１４】
表示部がチルトヒンジにより開閉できるメリットとしては表示部を開いた状態で本体を置くことでカメラ本体をチルトさせて設置させることができる。特許文献２に示されるようにチルト機構を備えることでカメラ部もしくは表示部を任意の角度にチルトさせた状態で撮影、表示を行うものがある。
【先行技術文献】
【特許文献】
【００１５】
【特許文献１】特開２０１２−１０５０６９号公報
【特許文献２】特開２００３−１３４２１２号公報
【発明の概要】
【発明が解決しようとする課題】
【００１６】
しかしながら、小型化と薄型化のため本体筺体７０１の電池収納部を凸形状７０１ａにした結果、本体筺体７０１の背面部は大部分にわたって左右非対称形状になる。本体筺体７０１に対し表示部筺体７０２を開いた状態で平面部にカメラを置いた際に、本体筺体７０１は左右非対称形状になっているため、バランスが良くなく撮影時に本体筺体７０１が傾き、揺れてしまうという問題があった。
【００１７】
図９では表示部筺体７０２を約６０度開いて平坦な床面Ｈに置いた図を示しており、図９（ａ）は側面図、図９（ｂ）は本体筺体７０１の着地部の拡大図、図９（ｃ）は図９（ａ）の状態を前方から見た図を示している。
【００１８】
図９（ａ）に示すように約６０度開いた状態だと表示部筺体７０２と本体筺体７０１の底面部でそれぞれ床面Ｈに着地し、表示部７０２ｂおよび本体筺体７０２内の鏡筒ユニット光軸７０５ａも約３０度上方に傾けた状態で置くことができる。
【００１９】
この時、図９（ｂ）の詳細図に示すように奥側の電池蓋７０３は着地しているが手前側のカード蓋７０４は着地していない状態となる。
【００２０】
図１３（ｃ）に示すように本体７０１横方向では電池蓋７０３のみが着地し、カード蓋７０４は床面と隙間があり、バランスが良くないため傾きやすく、揺れやすい状態となっている。
【００２１】
本体筺体７０１と表示筺体７０２の開き角度が大きくなるほど電池蓋７０３とカード蓋７０４の高さの差の影響は大きくなり重心も不安定になる。そのためセルフタイマー撮影をする時やシャッタースピードを遅く設定して撮影する時に小さな振動で撮影画像がぶれてしまい鮮明な画像を撮影することができなくなってしまう。
【００２２】
またカード蓋７０４を部分的に電池蓋７０３の形状に揃える方法もあるが図８（ｂ）に示したように表示部筺体７０２側の内部に空きスペースが無いために困難であった。
【００２３】
そこで、本発明は、ヒンジ機構により表示部筐体と本体筺体とを開閉可能に支持し、本体筺体に左右非対称の凸部を有する電子機器において、表示部筺体をチルトして平面に置いた際にも振動で揺れることなく安定して撮影できる電子機器を提供することを目的とする。
【課題を解決するための手段】
【００２４】
請求項１の発明の電子機器は、
第１の筺体と、
第２の筺体と、
第１の筺体と第２の筺体とを開閉可能に支持するヒンジユニットと、
第１の筺体に設けられた蓋部材と
第１の筺体の第２筺体と対向する位置に左右非対称の凸形状を有する電子機器において
第１の筺体に備えた蓋部材を引き出すことにより
第２の筺体を開いた状態で第１の筺体の凸形状の高さと蓋部材の高さがほぼ同等になることを特徴としている。
【００２５】
請求項２の発明の電子機器は、
第１の筺体に設けたヒンジユニットは第２の筺体を１８０度開いた際に前記台１の筺体の凸形状と同等の高さを有する凸部を備えており、１８０度の回動によって第１の筺体の足として機能する位置に移動することを特徴としている。
【発明の効果】
【００２６】
本発明によれば本体筺体背面の形状が左右非対称な状態においても、本体背面側にスライド可能な蓋部材を設け、カード蓋部材をスライドさせることで本体筺体背面の左右非対称による段差を揃え、表示筺体をチルトさせた状態でも安定して平面部に置くことができる電子機器を提供することができる。
【図面の簡単な説明】
【００２７】
【図１】本発明にかかる実施の形態である撮像装置を示した外観斜視図。
【図２】本発明にかかる実施の形態であるカード蓋と固定部品を示す分解斜視図。
【図３】本発明にかかる実施の形態であるカード蓋の動作を示す断面図および側面図。
【図４】本発明にかかる実施の形態であるカード蓋の作用を示す側面及び正面からの外観図。
【図５】本発明にかかる実施の形態であるカード蓋の作用を示す側面及び正面からの外観図。
【図６】本発明にかかる実施の形態であるカード蓋の作用を示す側面及び正面からの外観図。
【図７】一般的なヒンジユニットを有し、小型化レイアウトを行った撮像装置を示した斜視図。
【図８】小型化レイアウトを行った底面からの外観図と本体筺体及び表示部筺体内部を示す断面図。
【図９】本体筺体背面に凸がある状態で表示部筺体を開いて平面に置いた状態を示す側面図及び正面からの外観図。
【発明を実施するための形態】
【００２８】
以下に、本発明の好ましい実施の形態を、添付の図面に基づいて詳細に説明する。
【００２９】
図１は撮像装置（デジタルカメラ）の一構成例を示した外観斜視図であり本体に対して液晶モニタが開いた状態を示している。図１（ａ）は背面側から見た外観斜視図、図１（ｂ）は前面下方から見た外観斜視図である。 
【００３０】
デジタルカメラ１は、カメラ本体側の本体筐体２（第１の筐体）と、表示パネル３０１を有する表示部筐体３（第２の筐体）と、本体筺体２と表示部筐体３を連結するヒンジ部２０１からなる。
【００３１】
表示パネル３０１は静電式のタッチパネルを搭載しており、表示パネルに操作ボタンを表示し、その表示されたボタンに対応した位置をタッチすることで機能の切替が行えるようになっている。タッチ操作により、被写体の選択やシャッターレリーズ操作、ズームイン、ズームアウト操作を行うこともできる。
【００３２】
本体筐体２と表示部筐体３とがヒンジユニット２０１によって連結されていることで、撮影者は撮影を行う体勢に応じて表示部筐体３の本体筐体２に対する角度を自由に変えることができ、様々なアングルで被写体を確認しながら撮影を行うことができる。
【００３３】
鏡筒ユニット６を中央にレイアウトした構成であり、本体筺体２の横幅を減らし、デジタルカメラ１の総厚を極力薄型化した構成を示ししている。
【００３４】
正面から見た本体筺体２の投影面積を減らすため厚みの比較的厚い電池を採用しており、さらに本体筺体２を可能な限り薄くするために図１（ａ）に示すように本体筺体２の外観面が凸形状２ａになり、図１（ｂ）に示すように表示部筺体３は凸形状２ａを逃がした凹形状３ａになっている。本体筺体２の高さ寸法に対し電池の寸法も大きいため凸形状２ａと凹形状３ａは外観面の上下の広い範囲を占めている。図１（ａ）と図１（ｂ）に示すようにＳＤカード蓋５０１と電池蓋４、三脚座７が本体筺体２の底面に設けられている。
【００３５】
図２はＳＤカード蓋５０１が組み込まれているＳＤユニットの分解斜視図である。
【００３６】
ＳＤユニット５はＳＤカード蓋５０１、ベース部材５０２、シャフト５０３、中間プレート５０４、固定プレート５０５で構成される。
【００３７】
ＳＤカード蓋５０１がベース部材５０２に組み付けられたあとシャフト５０３がベース部材５０２内部の長孔とＳＤカード蓋５０１の丸孔５０１ａに挿入されることにより、ＳＤカード蓋５０１が回動及びスライド可能に保持される。ベース部材５０２の背面側には薄い板材の中間プレート５０４が組付けられ、ベース部材５０２と固定プレート５０５で中間プレート５０４を挟み込むことで固定している。固定プレート５０５はベース部材５０２の位置決めを兼ねた２本の軸５０２ａ、５０２ｂにより位置決めされ、組み付け後２本の軸５０２ａ、５０２ｂを熱カシメにより潰すことで固定される。
【００３８】
中間プレート５０４には弾性変形可能に形成された部分５０４ａがあり、ＳＤカード蓋５０１に設けた爪部５０１ｂが斜面部５０４ａを乗り上げ移動することでＳＤカード蓋５０１のスライド時のクリック力を発生させている。
【００３９】
ベース部材５０２には不図示の５０１の爪部が係合する凹部５０２ｃが設けられており、ＳＤカード蓋５０１が閉じた状態では凹部５０２ｃに爪部が係合していることでＳＤカード蓋５０１が開かないように規制している。
【００４０】
図３はＳＤユニットの側面図及び断面図であり、図３（ａ）はＳＤカード蓋５０１が閉じた状態の側面図、図３（ｂ）はＳＤカード蓋５０１を閉じた状態の断面図、図３（ｃ）はＳＤカード蓋５０１をスライドした状態の側面図、図３（ｄ）はＳＤカード５０１をスライドした状態の断面図を示している。
【００４１】
図３（ａ）に示すようにシャフト５０３はベース部材５０２に設けられた貫通長孔５０２ｄに沿って移動可能になっている。図３（ｂ）に示すようにＳＤカード蓋５０１が閉じた状態ではＳＤカード蓋の突起部５０１ｃの端が中間プレート斜面部５０４ａに引っ掛かることで保持される。
【００４２】
図３（ｃ）ではＳＤカード蓋５０１がスライドされた状態を示しており、長孔５０２ｄに沿ってシャフト５０３及びＳＤカード蓋５０１がスライドしている。図３（ｄ）に示すようにＳＤカード蓋５０１がスライドした状態ではＳＤカード蓋５０１の凸部５０１ｃは中間プレート５０４を一旦弾性変形させて斜面を乗り越え、凸部５０１ｃの外周面と中間プレート斜面５０４ａで接触した状態となる。この時、中間プレート斜面５０４ａはＳＤカード蓋５０１の押し込み方向に対して所定の荷重がかかるまでスライドしないように保持するとともにＳＤカード蓋５０１の回動に若干の摩擦抵抗を与えている。
【００４３】
これによってＳＤカード蓋５０１をスライドして開けた際にＳＤカード蓋５０１が自重で回動せずにスライド時に本体筺体２の足として使用できる。また、ＳＤカード蓋の凸部５０１ｃの中間プレート５０４との接触面はＳＤカード蓋５０１を９０度回動させた位置まで形成されており、マイクロＳＤカードの着脱の際にも不用意に閉じてしまわないようになっている。
【００４４】
図４から図６を用いて表示部筺体３をチルトさせた際の動作について説明する。
【００４５】
図４では表示部筺体３を約６０度開いて平坦な床面にデジタルカメラ１を置いた状態を示している。従来例ではＳＤカード蓋５０１はスライドして着地させることを想定した形状になっていなかったため、スライドさせずに電池蓋４側のみが着地した状態であったが、本実施例ではＳＤカード蓋５０１がスライドして足として使用することが可能なため、スライドした状態になっている。
【００４６】
図４（ａ）は側面図であり、図４（ｂ）は本体筺体２の着地部の拡大図、図４（ｃ）は図４（ａ）の状態を前方から見た図を示している。
【００４７】
図４（ａ）に示すように約６０度開いた状態だと表示部筺体３と本体筺体２の底面部でそれぞれ床面Ｈに着地し、本体を傾けた状態で置くことができる。
【００４８】
この時、図４（ｂ）の詳細図に示すようにＳＤカード蓋５０１はスライドされた状態で床面に着地しており、前述したクリック機構によりスライドの移動が規制されているため、本体を傾けた状態において一時的な足として機能することができる。
【００４９】
ＳＤカード蓋５０１の形状をスライドさせた状態であり、ＳＤカード蓋５０１の外形は電池蓋４と同一の投影形状となるようにしているため、図４の側面図においてはＳＤカード蓋５０１により電池蓋４は隠れている。
【００５０】
図４（ｃ）に示すようにスライドされたＳＤカード蓋５０１により、本体の左右を電池蓋４とＳＤカード蓋５０１で床面Ｈに着地することができ、広い間隔で傾きを規制することができるため、電池収納部凸の影響を受けることなく安定してデジタルカメラを設置することができる。
【００５１】
図５では表示部筺体３を約１２０度開いて平坦な床面Ｈにデジタルカメラ１を置いた状態を示している。図４の場合と同様に図５（ａ）は側面図であり、図５（ｂ）は本体筺体２の着地部の拡大図、図５（ｃ）は図５（ａ）の状態を前方から見た図を示している。
【００５２】
開き角度が起きくなるとより電池収納部凸２ａの影響が大きくなるがＳＤカード蓋５０１をスライドさせた状態で１２０度傾けた位置においても電池蓋４と同一の投影形状にすることで約６０度開いた時と同様に傾きとガタを無くした状態で床面Ｈに接地することができる。
【００５３】
図６では表示部筺体３を約１８０度開いて平坦な床面にデジタルカメラ１を置いた状態を示している。図６（ａ）は側面図であり、図６（ｂ）は本体筺体２の着地部の拡大図、図６（ｃ）は図６（ａ）の状態を前方から見た図を示している。
【００５４】
図６（ａ）に示すように約１８０度表示部筺体を開いた状態ではよりＳＤカード蓋５０１をスライドさせて高さを揃えることが効果的であることがいえる。しかし、１８０度開いた場合にはヒンジ部近傍の高さも重要である。図６（ｂ）に示すように回動するヒンジ部のカバーに足となる凸形状を設けて１８０度近くまで回動した際には床面に設置可能な位置に突出するようにしている。ヒンジ部の腕の形状自体の高さを揃えられる場合は凸形状２ａを設ける必要が無いが、本体内部の制約により本実施例の形状ではヒンジカバーに凸部２ａを設けている。
【００５５】
電池収納部の凸高さとＳＤカード蓋５０１のスライド時の高さ、ヒンジカバーの突起２０１ａの高さを揃えることで１８０度開いた際にも４点もしくは３点で床面に着地することができ、本体を水平に設置でき、ガタつきなどを防止することができる。
【００５６】
以上説明したとおり、本体筺体の背面に左右非対称な凸形状があり、表示部筺体をチルトさせた時に着地のガタの問題がある場合にも蓋部材をスライドさせた状態で保持し、足として使用することで安定して設置することができ、セルフタイマー撮影をする時やシャッタースピードを遅く設定して撮影する時に小さな振動がある場合にもぶれることなく鮮明な画像を撮影することができる。
【００５７】
以上、本発明の好ましい実施形態について説明したが、本発明はこれらの実施形態に限定されず、その要旨の範囲内で種々の変形及び変更が可能である。例えば、ヒンジ機構により第１の筐体と第２の筐体とを開閉可能に支持する電子機器で片方の筺体に左右非対称な凸部があり、どちらか一方にスライドもしくは回動可能な蓋部材がある電子機器であれば、上述した撮像装置以外の電子機器でも適用できる。   
【符号の説明】
【００５８】
１  デジタルカメラ
２  本体筺体
３  表示部筺体
３０１  表示部パネル
４  電池蓋
５  ＳＤユニット
５０１  ＳＤカード蓋
５０２  ベース部材
５０３  シャフト
５０４  中間プレート
５０５  固定プレート
６  鏡筒ユニット
７  三脚座
【図１】
2014170151.tif 000003
【図２】
2014170151.tif 000004
【図３】
2014170151.tif 000005
【図４】
2014170151.tif 000006
【図５】
2014170151.tif 000007
【図６】
2014170151.tif 000008
【図７】
2014170151.tif 000009
【図８】
2014170151.tif 000010
【図９】
2014170151.tif 000011